(57)【要約】      （修正有）【課題】ランプセットの照明覆いの曇り処理で輝度が減少する欠点を解決する。【解決手段】照明覆い用の配光板で、透明板９０１上に鋸歯型光回折格子９０３を有し、凸レンズ表面と傾斜平面レンズ表面で構成され、鋸歯型光回折格子９０３は透明板９０１の中心線の横方向２つの側に、一方の側が他方の側に対して鏡像を形成するように配列され、傾斜平面レンズ表面は透明板９０１の２つの横方側にそれぞれ向き、凸レンズ表面は中心線に向くように配列され、上部表面はランプセットの光受取り表面である。透明板９０１の底部表面９０２はその上に複数の凸レンズ細帯状光回折格子９０２が形成され、底部表面９０２はランプセットの照明表面である。この構造によって、光ビームは均一に配分され、ランプ下の領域を特に明るくするガウス分布の現象が避けられ、かつ光放出部材が眩しい現象を回避出来、輝度の損失を最小にする条件下で光ビームはより柔らかくなる。【選択図】図９
2009110961.tif 000002
【特許請求の範囲】
【請求項１】
ランプセットのための照明覆いとして使用される配光板であって、該配光板はその透明板の上部表面上に複数の鋸歯型光回折格子を有し：
前記鋸歯型光回折格子のおのおのは、凸レンズ表面および傾斜平面レンズ表面で形成され、前記鋸歯型光回折格子は、前記透明板の中心線の横方向２つの側に、一方の側が他方の側に対して鏡像を形成するべく配列され、前記傾斜平面レンズ表面は、前記透明板の２つの横方向側にそれぞれ向くように配列され、一方前記凸レンズ表面は前記中心線を向くように配列され；前記上部表面は前記ランプセットの光受取り表面であることを特徴とする、配光板。
【請求項２】
請求項１に記載の配光板であって：前記透明板はその底部表面に複数の細帯状凸レンズ光回折格子を備え；前記底部表面は前記ランプセットの照明表面である配光板。
【請求項３】
請求項１に記載の配光板であって：前記鋸歯型光回折格子におけるおのおのの前記凸レンズ表面のおのおののアーチ型外辺半径および傾き角は、前記凸レンズ表面を通る入射光ビームの屈折角にしたがって変更される配光板。
【請求項４】
請求項１に記載の配光板であって：前記傾斜平面レンズ表面のおのおのの大きさ、および前記鋸歯型光回折格子のおのおのの前記傾斜平面レンズ表面と水平線との間の傾き角は、前記傾斜平面レンズ表面を通る入射光ビームの屈折角にしたがって変更される配光板。
【請求項５】
請求項２に記載の配光板であって：前記凸レンズの複数の半径、および前記細帯状凸レンズ光回折格子の各２つごとの間の隙間は、前記凸レンズ表面を通る入射光ビームの屈折角にしたがって変更される配光板。
【請求項６】
ランプセットのための照明覆いとして使用される配光板であって、該配光板はその透明板の上部表面上に複数の鋸歯型光回折格子を有し：
前記鋸歯型光回折格子のおのおのは、凸レンズ表面および傾斜平面レンズ表面で形成され、前記鋸歯型光回折格子は、前記透明板の中心線の横方向２つの側に、一方の側が他方の側に対して鏡像を形成するべく配列され、前記傾斜平面レンズ表面は、前記透明板の外辺をそれぞれ向くように配列され、一方前記凸レンズ表面は前記中心線を向くように配列され；前記上部表面は前記ランプセットの光受取り表面であることを特徴とする、配光板。
【請求項７】
請求項６に記載の配光板であって：前記透明板はその底部表面上に複数の円環状凸レンズ光回折格子を備え；前記底部表面は前記ランプセットの照明表面である配光板。
【請求項８】
請求項６に記載の配光板であって：アーチ型外辺の半径、および前記鋸歯型光回折格子のおのおのにおける前記凸レンズ表面おのおのの傾き角は、前記凸レンズ表面を通る入射光ビームの屈折角にしたがって変更される配光板。
【請求項９】
請求項６に記載の配光板であって：前記傾斜平面レンズ表面のおのおのの大きさ、および前記鋸歯型光回折格子のおのおのの各前記傾斜平面レンズ表面と水平線との間の傾き角は、前記傾斜平面レンズ表面を通る入射光ビームの屈折角にしたがって変更される配光板。
【請求項１０】
請求項７に記載の配光板であって：前記凸レンズ表面の複数の半径、および前記円環状凸レンズ光回折格子の各２つの間の隙間は、前記凸レンズ表面を通る入射光ビームの屈折角にしたがって変更される配光板。
【請求項１１】
ランプセットのための照明覆いとして使用される改良された配光板であって、前記配光板はその透明板の上部表面の中央領域に複数の凸レンズ光回折格子を、そしてその前記透明板の前記上部表面の外辺領域に複数の鋸歯型光回折格子、を有し：
前記鋸歯型光回折格子のおのおのは、凸レンズ表面および傾斜平面レンズ表面で構成され、前記鋸歯型光回折格子は、前記透明板の中心をその中心として取る円環形状に配列され、前記傾斜平面レンズ表面は、前記透明板の外辺をそれぞれ向くように配列され、一方前記凸レンズ表面は前記透明板の前記中心を向くように配列され；
前記凸レンズ光回折格子のおのおのは、前記透明板の前記中心をその中心として取る円環形状に配列され；
前記上部表面は前記ランプセットの光受取り表面であることを特徴とする、配光板。
【請求項１２】
請求項１１に記載の改良された配光板であって：前記透明板はその底部表面に複数の円環状凸レンズ光回折格子を備え；前記底部表面は前記ランプセットの照明表面である配光板。
【請求項１３】
請求項１１に記載の改良された配光板であって：前記鋸歯型光回折格子のおのおのにおける前記凸レンズ表面のおのおののアーチ型外辺の半径および傾き角は、前記凸レンズ表面を通る入射光ビームの屈折角にしたがって変更される、配光板。
【請求項１４】
請求項１１に記載の改良された配光板であって：前記傾斜平面レンズ表面のおのおのの大きさ、および前記鋸歯型光回折格子のおのおのにおける前記傾斜平面レンズ表面のおのおのと水平線との間の傾き角は、前記傾斜平面レンズ表面を通る入射光ビームの屈折角にしたがって変更される、配光板。
【請求項１５】
請求項１２に記載の改良された配光板であって：前記凸レンズ表面の複数の半径、および前記凸レンズ円環状光回折格子の各２つの間の隙間は、前記凸レンズ表面を取る入射光ビームの屈折角にしたがって変更される、配光板。
【請求項１６】
ランプセットのための照明覆いとして使用される改良された配光板であって、前記配光板はその透明板の上部表面の中央領域に複数の凸レンズ光回折格子を、そしてその前記透明板の前記上部表面の外辺領域に複数の鋸歯型光回折格子、を有し：
前記鋸歯型光回折格子のおのおのは、凸レンズ表面および傾斜平面レンズ表面で構成され、前記鋸歯型光回折格子は、前記透明板中心線の横方向２つの側に、一方の側が他方の側に対して鏡像を形成するように配列され、前記傾斜平面レンズ表面は、前記透明板の横方向２つの側をそれぞれ向くように配列され、一方前記凸レンズ表面は前記透明板の前記中心線を向くように配列され；
前記凸レンズ光回折格子は、細帯形状に、前記鋸歯型光回折格子が向いている方向に配列され；そして
前記上部表面は前記ランプセットの光受取り表面であることを特徴とする、配光板。
【請求項１７】
請求項１６に記載の改良された配光板であって：前記透明板はその底部表面に複数の細帯状凸レンズ光回折格子を備え；前記底部表面は前記ランプセットの照明表面である配光板。
【請求項１８】
請求項１６に記載の改良された配光板であって：前記鋸歯型光回折格子のおのおのにおける前記凸レンズ表面のおのおののアーチ型外辺の半径および傾き角は、前記凸レンズ表面を通る入射光ビームの屈折角にしたがって変更される、配光板。
【請求項１９】
請求項１６に記載の改良された配光板であって：前記傾斜平面レンズ表面のおのおのの大きさ、および前記鋸歯型光回折格子のおのおのにおける前記傾斜平面レンズ表面のおのおのと水平線との間の傾き角は、前記傾斜平面レンズ表面を通る入射光ビームの屈折角にしたがって変更される、配光板。
【請求項２０】
請求項１７に記載の改良された配光板であって：前記凸レンズ表面の複数の半径、および前記細帯状凸レンズ光回折格子の各２つの間の隙間は、前記凸レンズ表面を取る入射光ビームの屈折角にしたがって変更される、配光板。
【請求項２１】
ランプセットのための照明覆いとして使用される改良された配光板であって、前記配光板はその透明板の上部表面に複数の鋸歯型光回折格子を有し：
前記鋸歯型光回折格子のおのおのは、凸レンズ表面および傾斜平面レンズ表面で構成され、前記鋸歯型光回折格子は、前記透明板中心線の横方向２つの側に一方の側が他方の側に対して鏡像を形成するように配列され、前記凸レンズ表面は、前記透明板の横方向２つの側をそれぞれ向くように配列され、一方前記傾斜平面レンズ表面は前記中心線を向くように配列され；
前記上部表面は前記ランプセットの光受取り表面であることを特徴とする、配光板。
【発明の詳細な説明】
【技術分野】
【０００１】
本発明は配光板に関し、特に光の反射と屈折の原理に基づいて設計され、様々な照明ランプセットに適用可能で、各ランプセットは従って、眩しがらせないようにするための最小の輝度損失に抑える条件下で、ある範囲を均一な輝度と柔らかい光ビームで照らすことの出来る配光板に関する；当該配光板は、照明の必要な家庭、事務所、工場、または道路に適用可能であり、かつ省エネルギーの効果と同時に、目をくらませる現象の回避を達成することが出来る。
【背景技術】
【０００２】
照明用ランプセットは一般的に、屋内および屋外用のランプセットを含む２種類に分けられる；屋内用ランプセットは主として半覆い型であり、各々には光源１０２の上方にある半覆い型で、その内方に反射表面１０３を有する覆いカバー１０１（図１Ａ参照）が据え付けられる。これらのランプセットは通常、眩しがらせ、かつ目をくらませる感情を起こす現象を目に起こすような光の入射を避けるべく、光源の表面上は曇り処理が施される。
【０００３】
屋外ランプセットは、環境の要素を考慮して完全覆い型カバーであって（図１Ｂ参照）、その下方に透明フード１０４が付けられ、当該フード１０４もまた、光源を直接見ているときに目がまぶしい現象を避けるべく曇り処理が施される。前述の２つの種類は、曇り処理によって輝度の減少という共通の欠点を有し、これら従来のランプセットは一般的に、ランプセットの輝度が各ランプの正確に真下の領域に集中されるという、ガウス分布の現象を有する。
【発明の開示】
【課題を解決するための手段】
【０００４】
従来のランプセットの欠点を除去するために、本発明は、矩形透明板上にそれぞれが凸レンズ表面と傾斜平面レンズ表面から構成される複数の鋸歯型光回折格子を有する配光板を備え、これらの鋸歯型光回折格子は、透明板中心線の横方向２つの側にそれぞれ向くように配列されて一方の側が他方の側に対して鏡像を形成し、傾斜平面レンズ表面は透明板の横方向２つの側それぞれを向いており、一方凸レンズ表面は、中心線に向くように配列され；上部表面はランプセットの光受取り表面である。透明板の底部表面は、その上に複数の凸レンズ細帯状光回折格子が形成され、当該底部表面はランプセットの光出力表面である。このような構成によって、光ビームは均一に配光されかつランプセットの下領域を特に明るくするガウス分布現象を回避することが出来、ランプセット内の光放出部材を見ているときに目を眩しがらせる現象を回避出来、かつ光ビームは輝度の損失が最小である条件下でより柔らかくなる。
【０００５】
さらに本発明で与えられる配光板は円形の透明板を持つことが出来、当該透明板の上部表面上には複数の鋸歯型光回折格子が形成され得て、各回折格子は凸レンズ表面および傾斜平面レンズ表面で形成され、これらの鋸歯型光回折格子は、透明板中心線の横方向２つの側に一方の側が他方の側に対して鏡像を形成するように配列され、傾斜平面レンズ表面は透明板の外辺に向かってそれぞれ配列され、一方凸レンズ表面は中心線に向かって配列され；上部表面はランプの光受取り表面である。透明板の底部表面は、その上に複数の凸レンズ円環状光回折格子が形成され、そして底部表面はランプの照明表面である。
【０００６】
本発明において与えられる配光板では、鋸歯型光回折格子の一つの各凸レンズ表面のアーチ状外辺半径および傾き角は、凸レンズ表面を通る入射光ビームの屈折角にしたがって変更される。一方、おのおのの傾斜平面レンズ表面の大きさ、および各傾斜平面レンズ表面と各鋸歯型光回折格子の水平線との間の傾き角は、傾斜平面レンズ表面を通る入射光ビームの屈折角にしたがって変更される。さらに凸レンズ表面の複数の半径、および凸レンズ細帯状光回折格子または凸レンズ円環状光回折格子の各２つ間の隙間もまた、凸レンズ表面を通る入射光ビームの屈折角にしたがって変更される。これによって、ランプセットにおける光ビームは、照明されるべき範囲の小さな面積に向かって屈折することが可能であり、こうして光ビームは均一に配分され、かつランプ下方領域を特に明るくするガウス分布現象を回避できる。
【０００７】
本発明において与えられる配光板は、さらなる改善が可能であり、すなわち透明板の上部表面または底部表面上の、光源からの照射で最も明るい中央部には、複数の凸レンズ細帯状または凸レンズ円環状の光回折格子を形成することが可能である。このような構成によって、光ビームは均一に配分され、かつランプ下方領域を特に明るくするガウス分布現象を回避でき、ランプ内の光放出部材を見ている間に目がまぶしくなる現象を回避でき、輝度の損失が最小となる条件下で光ビームはより一層柔らかくなる。
【０００８】
本発明は、その好ましい実施形態の詳細説明を添付の図面を参照して読み取ることによって、その構造と原理が明らかになるであろう。
【発明を実施するための最良の形態】
【０００９】
本発明は配光板に関し、当該配光板がランプの照明カバーとして形成されるために透明板が使用される。
【実施例１】
【００１０】
本発明の第一実施形態を示す図２、図２Ａおよび図２Ｂを参照して、これらの図において、矩形透明板２０１は平坦な表面２０２を有し、および上面に複数の細帯状鋸歯型光回折格子２０３を備えるもう一つの表面を有し、当該細帯状鋸歯型光回折格子のおのおのの鋸歯は、凸レンズ表面Ｓ１および傾斜平面レンズ表面Ｓ２で構成され、当該細帯状鋸歯型光回折格子は透明板２０１の中心線２０４の横方向２つの側に一方の側が他方の側に対して鏡像を形成するように配列されて、凸レンズ表面Ｓ１は透明板２０１の中心線２０４に向くように配列され、一方傾斜平面レンズ表面Ｓ２は透明板２０１の横方向２つの側にそれぞれ向くように配列される。
【００１１】
図３を参照して、平坦な底部表面３０２、およびその上に複数の細帯状鋸歯型光回折格子３０３を形成する上部表面、を有する配光板３０１の中央領域拡大概略図を示す。
【００１２】
光ビーム３０６が鋸歯型光回折格子３０３の一つの凸レンズ表面３１１に進入し、一回目の屈折が成されると、光ビーム３０６は平坦な面３０２まで透過されて二回目の屈折が成され照明されるべき領域に入る。
【００１３】
光ビーム３０６および光ビーム３０７から、当該光ビームは対応する凸レンズ表面３１０，３１１に入り、二回の屈折の後、すべてが配光板３０１の横方向２つの側下方に照射することを理解することが出来、光ビームの屈折角は凸レンズ表面３１０，３１１のアーチ型外辺の複数半径と傾き角によってそれぞれ決定される；アーチ型外辺傾き角度が大きくなれば、光ビームの配光板３０１下平面から出て照射する光ビームの屈折角は大きくなり、すなわち光ビームの横側に向かって照射する幅の範囲がより大きくなる。反対にアーチ型外辺傾き角が小さくなれば、平面下側から出て照射する光ビームの屈折角はより小さくなり、すなわち光ビームの横側に向かって照射する幅の範囲がより小さくなる。従って、凸レンズ表面３１０，３１１のアーチ型外辺の複数の半径および傾き角を設定しさえすれば、照明すべき領域の所定の箇所を照明するように光ビームは制御可能である；かつ照明すべき範囲における光ビームの均一な配分効果が達成できる。
【００１４】
光ビーム３０８が鋸歯型光回折格子３０３の一つの傾斜平面レンズ表面３１２に進入し、一回目の屈折がなされると、光ビーム３０８は平坦な面３０２まで透過されて二回目の屈折がなされ照明されるべき領域に入る。光ビーム３０９が鋸歯型光回折格子３０３の一つの傾斜平面レンズ表面３１３に進入し、一回目の屈折が成されると、光ビーム３０９は平坦な面３０２まで透過されて二回目の屈折がなされ照明されるべき領域に入る。
【００１５】
光ビーム３０８および光ビーム３０９から、当該光ビームは対応する傾斜平面レンズ表面に入り、二回の屈折の後、すべてが配光板３０１の中央部下方に照射することを理解することが出来、光ビームの屈折角は傾斜平面レンズ表面３１２，３１３と水平線との間の交叉角によってそれぞれ決定される；傾斜平面レンズ表面３１２，３１３と水平線との間の交叉角が大きいほど、配光板３０１下の平面から出て照射される光ビームの屈折角は大きくなり、すなわち光ビームの横側に向かって照射する幅の範囲がより大きくなる。反対に傾斜平面レンズ表面３１２，３１３と水平線との間の交叉角がそれぞれ小さいほど、平面から出て下に照射される光ビームの屈折角は小さくなり、すなわち光ビームの横側に向かって照射する幅の範囲がより小さくなる。従って、傾斜平面レンズ表面３１２，３１３と水平線との間のそれぞれの交叉角を設定しさえすれば、照明すべき所定の領域を照明するように光ビームは制御可能であり、かつ照明すべき範囲における光ビームの均一な配分効果が達成できる。
【実施例２】
【００１６】
本発明の第二実施形態を示す図４、図４Ａ、図４Ｂを参照して、図において矩形透明板４０１は図２に示すようにその表面上に複数の細帯状鋸歯型光回折格子４０３が形成され、かつ複数の細帯状凸レンズ光回折格子４０２が透明板のもう一つの表面に形成され；細帯状鋸歯型光回折格子４０３は、透明板４０１の中心線４０４の横方向２つの側に一方の側が他方の側に対して鏡像を形成するように配列される。
【００１７】
配光板５０１の中央領域の拡大概略図を示す図５を参照して、当該配光板５０１は複数の細帯状凸レンズ光回折格子５１３、５１６、等をその上に備える平面的な底部表面、およびその上に複数の細帯状鋸歯型光回折格子５０２を形成する上部表面を有し、この図面と図３間の唯一の差異は、配光板５０１の底部表面がその上に細帯状凸レンズ光回折格子５１３、５１６、等を有していることだけである。光ビーム５０５，５０８，５１１，５１４が細帯状鋸歯型光回折格子５０２の対応する凸レンズ表面５０６，５０９、またはそれらの対応する傾斜平面表面５１２，５１５を通過して、１回目の屈折がなされると、光ビームは底部表面上の細帯状凸レンズ光回折格子５１３，５１６、および２つの平面表面５０７，５１０まで透過して、２回目の屈折がなされ、異なった屈折角度をもって照明されるべき領域に入る。
【００１８】
これらの細帯状凸レンズ光回折格子５１３、５１６、等の凸レンズの複数の半径は、光ビームの二回目の屈折角の生成に直接影響する。このことは、ある種の規則を有し、すなわちこれらの細帯状凸レンズ光回折格子の凸レンズ半径が大きくなると、光ビームの入射角度は小さくなり；対応して、配光板５０１から外に出る光ビームの照射角度が小さくなり、照明される領域の幅の範囲は小さくなる。これに反してこれらの細帯状凸レンズ光回折格子の凸レンズ半径が小さくなると、光ビームの入射角度は大きくなり；対応して、配光板５０１から外に出る光ビームの照射角度が大きくなり、照明される領域の幅の範囲は大きくなる。凸レンズの半径および各２つの細帯状凸レンズ光回折格子間の間隔を適切に設定することによって、照明されるべき範囲における輝度のより正確な均一配分の効果が達成される。
【実施例３】
【００１９】
本発明の第三実施形態を示す図６、図６Ａ、図６Ｂを参照して、図において円形透明板６０１は、平坦な底部表面６０２を有し、およびその上には複数の円環状鋸歯型光回折格子６０３を備える上部表面を有する；複数の円環状鋸歯型光回折格子６０３の組合わせ構造は、図２に示す細帯状鋸歯型光回折格子２０３の構造に類似し、円環状鋸歯型光回折格子６０３が透明板６０１の円形中心６０４をそれらの中心として取った円環型に配列される点が異なり、設計の根本方針、および凸レンズおよび傾斜平面レンズ表面のアーチ型外辺による異なった照明を創出する効果は図３に対しての説明と同じである。
【実施例４】
【００２０】
本発明の第四実施形態を示す図７、図７Ａ、図７Ｂを参照して、図において円形透明板７０１は、その上部表面に図６に示されるように複数の円環状鋸歯型光回折格子７０３が形成され、円環状鋸歯型光回折格子７０３は透明板７０１の円形中心７０４をそれらの中心として取った円環型に配列される；また複数の円環凸レンズ光回折格子７０２がもう一つの（底部）表面に形成される；凸レンズ半径による異なった照明を創出する効果は図５に対しての説明と同じである。
【実施例５】
【００２１】
本発明の配光板の第一実施形態がランプセットに使用されているところを示した図８を参照して、配光板８０１は、ランプセットの主本体１０５下の照射されるべき領域に移動可能に設置され、配光板８０１の平坦な底部表面８０２は光受取り表面として光源１０２に向いており、もう一つの（上部）表面にはその上に複数の鋸歯型光回折格子８０３が、光源１０２に向いた光出力表面として形成される；鋸歯型光回折格子８０３は、透明板８０１の中心線の横方向２つの側に、一方の側が他方の側に対して鏡像を形成するように配列され、凸レンズ表面は当該中心線に向かって配列され、一方傾斜平面レンズ表面は透明板の横方向２つの側にそれぞれ向いている；透明板８０１の中心は光源１０２の真下箇所に芯合わせされる。
【００２２】
光ビーム８０５が鋸歯型光回折格子８０３の一つの凸レンズ表面８０６に入り、一回目の屈折がなされると、光ビーム８０５は平坦な底部表面８０２まで透過し、二回目の屈折がなされランプセットの左下方に進み、照明されるべき領域に入る。光ビーム８０７が鋸歯型光回折格子８０３の一つの凸レンズ表面８０８に入り、一回目の屈折がなされると、光ビーム８０７は平坦な底部表面８０２まで透過し、二回目の屈折がなされランプセットの左下方に進み、照明されるべき領域に入る。光ビーム８０９が配光板８０１の鋸歯型光回折格子８０３の一つの傾斜平面レンズ表面８１０に入り、一回目の屈折がなされると、光ビーム８０９は平坦な底部表面８０２まで透過し、二回目の屈折がなされランプセットの右下方に進み、同じく照明されるべき領域に入る。配光板８０１は、ランプセットの光ビームの殆どの照明を、照明されるべき所定の領域に対して確実に制御でき、輝度を均一に配分することによって省エネルギー効果が得られ、照明されるべき領域において柔らかい光ビームが得られる。
【実施例６】
【００２３】
本発明の配光板の第二実施形態がランプセットに使用されているところを示した図９を参照して、配光板９０１はランプセットの主本体１０５下の照明されるべき領域に移動可能に設置され、配光板９０１の平坦な底部表面は、その上に照明されるべき領域に向いた光出力表面としての複数の凸レンズ光回折格子９０２が形成される；もう一つの（上部）表面はその上に複数の鋸歯型光回折格子９０３が、光源１０２に向いた光受取り表面として形成される；鋸歯型光回折格子９０３は、透明板９０１の中心線の横方向２つの側に、一方の側が他方の側に対して鏡像を形成するように配列され、凸レンズ表面は中心線に向くべく配列され、一方傾斜平面レンズ表面は透明板の横方向２つの側にそれぞれ向かって配列される；透明板９０１の中心は光源１０２の真下箇所に芯合わせされる。
【００２４】
光ビーム９０５が配光板９０１の鋸歯型光回折格子９０３の一つの凸レンズ表面９０６に入り、一回目の屈折がなされると、光ビーム９０５は配光板９０１下の凸レンズ９０７まで透過し、二回目の屈折がなされランプセットの左下方に進み、照明されるべき領域に入る。光ビーム９１１が配光板９０１の鋸歯型光回折格子９０３の一つの傾斜平面レンズ表面９１２に入り、一回目の屈折がなされると、光ビーム９１１は平坦な底部表面９１３まで透過し、二回目の屈折が成されランプセットの右下方に進み、同じく照明されるべき領域に入る。配光板９０１は、ランプセットの光ビームの殆どの照明を、照明されるべき所定の領域に対して確実に制御でき、輝度を均一に配分することによって省エネルギー効果が得られ、照明されるべき範囲において柔らかい光ビームが得られる。
【００２５】
本発明で与えられる配光板をさらに改良することが可能である、すなわち光源の照明下で最も明るい透明板の上部表面または底部表面の中央部分には、複数の細帯状凸レンズ光回折格子が形成可能である。このような構造によって、光ビームは均一に配分されかつランプの下領域を特に明るくするガウス分布現象を回避出来、またランプ内の光放出部材を見ている間に目を眩しくする現象を回避出来、光ビームは輝度の損失を最小にする条件下でより柔らかくなる。
【実施例７】
【００２６】
本発明の改良された配光板およびその光回折格子の第一実施形態を示す図１０、１０Ａ、１０Ｂを参照して、図において、矩形透明板１２０１は平坦な表面１２０２を有し、およびその上に複数の細帯状凸レンズ光回折格子ならびに該細帯状凸レンズ光回折格子の横方向２つの側に複数の細帯状鋸歯型光回折格子１２０３を備えるもう一つの表面を有し、細帯状鋸歯型光回折格子の各鋸歯は凸レンズ表面Ｓ１と傾斜平面レンズ表面Ｓ２で構成され、細帯状鋸歯型光回折格子は、透明板１２０１の中心線１２０４の横方向の２つの側に一方の側が他方の側に対して鏡像を形成するべく配列され、凸レンズ表面Ｓ１は透明板１２０１の中心線１２０４に向くべく配列され、一方傾斜平面レンズ表面Ｓ２は透明板１２０１の横方向２つの側のそれぞれを向くように配列される。
【実施例８】
【００２７】
平坦な底部表面１３０２、およびその上に複数の細帯状凸レンズ光回折格子１３０４ならびに細帯状鋸歯型光回折格子１３０３が形成された上部表面、を有する改良された配光板１３０１の中央部の拡大概略図を示す図１１を参照する。
【００２８】
光ビーム１３１４が凸レンズ光回折格子１３０４の一つの凸レンズ１３０５に入り、一回目の屈折がなされ、光ビーム１３１４が平坦な底部表面１３０２まで透過して二回目の屈折が成され照明すべき領域に入る。図から光ビーム１３１４は凸レンズ１３０５に入り二回目の屈折が成された後、改良された配光板１３０１下の中央領域に照射され、外側に屈折される光ビーム１３１４の角度は、アーチ型凸レンズ表面の半径によって決定され；アーチ型凸レンズ表面の半径が大きくなれば（すなわちアーチ型凸レンズ表面の曲げ曲率が小さくなれば）、配光板１３０１下の平面から放射されて出る屈折された光ビームの角度は小さくなる、すなわち横方向側に照射される光ビームの幅の範囲は小さくなる、ということが理解される。反対に、アーチ型凸レンズ表面の半径が小さくなれば（すなわちアーチ型凸レンズ表面の曲げ曲率が大きくなれば）、配光板１３０１下の平面から放射されて出る屈折された光ビームの角度は大きくなる、すなわち横方向側に照射される光ビームの幅の範囲は大きくなる。従って、配光板１３０１上の凸レンズのアーチ型外辺の半径を設定しさえすれば、光ビームは照明されるべき領域の所定の箇所を照明するべく制御が可能である。
【００２９】
光ビーム１３０６が鋸歯型光回折格子１３０３の一つの凸レンズ１３１１に入り、一回目の屈折が成されると、光ビーム１３０６は平坦な底部表面１３０２まで透過して二回目の屈折が成され照明すべき領域に入る。光ビーム１３０７は、鋸歯型光回折格子１３０３の一つの凸レンズ１３１０に入った後に、一回目の屈折が成され、光ビーム１３０７は平坦な底部表面１３０２まで透過し、二回目の屈折が成されて照明されるべき領域に入る。
【００３０】
光ビーム１３０６および光ビーム１３０７から、光ビームは対応する凸レンズ表面に入り、二回の屈折の後、すべて配光板１３０１の横方向２つの側下方に照射し、外側に屈折される光ビームの角度は凸レンズ表面１３１０、１３１１のアーチ型外辺の半径と傾き角によって決定されることが理解され；アーチ型外辺の傾き角が大きくなれば、配光板１３０１下の平面から出て照射する光ビームの屈折角は大きくなり、すなわち横方向側に向かって照射する光ビームの幅の範囲が大きくなる。反対にアーチ型外辺の傾き角が小さくなれば、その下の平面から出て照射する光ビームの屈折角は小さくなり、すなわち横方向側に向かって照射する光ビームの幅の範囲が小さくなる。従って、凸レンズ表面１３１０、１３１１のアーチ型外辺の半径と傾き角が設定されさえすれば、光ビームは照射されるべき領域の所定の箇所を照射するように制御出来；かつ照射されるべき範囲の光ビームの均一な配分効果が得られる。
【００３１】
光ビーム１３０８が鋸歯型光回折格子１３０３の一つの傾斜平面レンズ表面１３１２に入り、一回目の屈折が成されると、光ビーム１３０８は平坦な底部表面１３０２まで透過して二回目の屈折が成され照明すべき領域に入る。光ビーム１３０９が鋸歯型光回折格子１３０３の一つの傾斜平面レンズ表面１３１３に入り、一回目の屈折が成されると、光ビーム１３０９は平坦な底部表面１３０２まで透過して二回目の屈折が成され、同様に照明すべき領域に入る。
【００３２】
光ビーム１３０８、１３０９から、殆どの光ビームは対応する傾斜平面レンズ表面に入り二回の屈折の後に配光板１３０１の中心に向かって下方に照射し、光ビームの屈折角は傾斜平面レンズ表面１３１２、１３１３と水平線との交叉角によって決定されることが理解される；傾斜平面レンズ表面１３１２、１３１３と水平線との間の交叉角が大きいほど、配光板１３０１下の平面から出て照射する光ビームの屈折角は大きくなる、すなわち横方向側に向かって照射する光ビームの幅の範囲は大きい。反対に傾斜平面レンズ表面１３１２、１３１３と水平線との間のそれぞれの交叉角が小さいほど、そこの下から出て照射する光ビームの屈折角は小さくなる、すなわち横方向側に向かって照射する光ビームの幅の範囲は小さい。従って、傾斜平面レンズ表面１３１２、１３１３と水平線との間のそれぞれの交叉角が設定されさえすれば、光ビームは照射されるべき領域の所定の箇所を照射するように制御出来、かつ照射されるべき範囲の光ビームの均一な配分効果が得られる。
【実施例９】
【００３３】
本発明の改良された配光板およびその光回折格子の第二実施形態を示す図１２、１２Ａ、１２Ｂを参照して、図において、矩形透明板１４０１は、その表面上に図１０に示されるように、複数の細帯状凸レンズ光回折格子１４０５および複数の細帯状鋸歯型光回折格子１４０３が形成され、かつ複数の細帯状凸レンズ光回折格子１４０２が平坦な表面１４０６の部分領域に形成される；細帯状鋸歯型光回折格子１４０３は、透明板１４０１の中心線１４０４の横方向２つの側に、一方の側が他方の側に対して鏡像を形成するように配列される。
【００３４】
その部分領域に複数の細帯状凸レンズ光回折格子１５１３、１５１６などを備え、かつその上に複数の細帯状鋸歯型光回折格子１５０２および複数の細帯状凸レンズ光回折格子１５０３が形成される上部表面を有する配光板１５０１の中央領域の拡大概略図を示す図１３を参照し、この図面と図３間の唯一の違いは配光板１５０１の底部表面はその上に細帯状凸レンズ光回折格子１５１３、１５１６など、およびなにがしかの平坦な表面１５０７、１５１０を有することである。光ビーム１５０５、１５０８、１５１１、１５１４および１５１７が、細帯状鋸歯型光回折格子１５０２のそれらに対応する凸レンズ表面１５０６、１５０９を通り抜けて、または傾斜平面レンズ表面１５１２、１５１５もしくはそれらの対応する細帯状凸レンズ光回折格子１５１８を通り抜けて、第一の屈折が成されると、当該屈折された複数の光ビームは、細帯状凸レンズ光回折格子１５１３、１５１６、１５１９および平坦な表面１５０７、１５１０まで透過して二回目の屈折が成された後、異なった屈折角をもって照射されるべき領域に入る。ここにおいて、中央に近い光ビーム１５１７は、細帯状凸レンズ光回折格子１５１８および細帯状凸レンズ光回折格子１５１９を通り抜けて二回目の屈折が成され、照明されるべき領域に入り、このようにして配光板１５０１の中央部における光ビームは、均等な配分が可能であり、ランプ直下の領域を特に明るくする現象を回避できる。
【００３５】
より下方の細帯状凸レンズ光回折格子１５１９の複数の凸レンズ半径は光ビームの二回目の屈折角生成に直接影響を与える。これはある種の規則を有し、すなわち細帯状凸レンズ光回折格子１５１８のより上方の凸レンズ半径が大きくなれば、光ビームの入射角は小さくなる；これに相応じて、配光板１５０１から外へ照射する光ビームの角度が小さくなると、照射されるべき領域の幅の範囲は小さくなる。反対に、細帯状凸レンズ光回折格子１５１８のより上方の凸レンズ半径が小さくなれば、光ビームの入射角は大きくなる；これに相応じて、配光板１５０１から外へ照射する光ビームの角度が大きくなると、照射されるべき領域の幅の範囲は大きくなる。凸レンズ半径を適宜設定することによって、照射されるべき範囲の輝度のより詳細な均一配分が得られる。
【実施例１０】
【００３６】
本発明の改良された配光板およびその光回折格子の第三実施形態を示す図１４、１４Ａ、１４Ｂを参照して、図において、円形透明板１６０１は、平坦な底部表面１６０２を有し、その上に複数の円環状凸レンズ光回折格子１６０５および複数の円環状鋸歯型光回折格子１６０３を備えた上部平面を有し；円環状凸レンズ光回折格子１６０５と円環状鋸歯型光回折格子１６０３の組合わせ構造は、図１０に示される円環状凸レンズ光回折格子１２０５と細帯状鋸歯型光回折格子１２０３の組合わせ構造に類似しており、円環状鋸歯型光回折格子１６０３と円環状凸レンズ光回折格子１６０５は、透明板１６０１の円中心１６０４をそれらの中心として取っている円環形状に配列されていることが相違点であり、設計の原理および凸レンズの、および傾斜平面レンズ表面のアーチ型外辺の異なった照明を生成する効果は、図１１に対して説明されたことと同じである。
【実施例１１】
【００３７】
本発明の改良された配光板およびその光回折格子の第四実施形態を示す図１５、１５Ａ、１５Ｂを参照して、図において、円形透明板１７０１はその上部表面に、図６に示すような複数の円環状凸レンズ光回折格子１７０５と複数の円環状鋸歯型光回折格子１７０３が形成され、円環状凸レンズ光回折格子１７０５と円環状鋸歯型光回折格子１７０３は、透明板１７０１の円中心１７０４をそれらの中心として取っている円環形状に配列され；かつ複数の凸レンズ光回折格子１７０２およびなにがしかの平面１７０６がそのもう一つの（底部)表面に形成される；設計の原理および凸レンズの半径の異なった照明を生成する効果は、図１３に対して説明されたことと同じである。
【００３８】
本発明の改良された配光板およびその光回折格子の第一実施形態がランプセットに使用されているところを示した図１６を参照して、配光板１８０１はランプセットの主本体１０５の照明されるべき領域に移動可能に設置され、配光板１８０１の平坦な表面１８０２は光受取り表面としての照明されるべき領域に向いており、もう一つの（上部）表面はその上に複数の凸レンズ光回折格子１８０４と複数の鋸歯型光回折格子１８０３が光出力表面として形成され、光源１０２の方へ向いている；配光板１８０１の中心は光源１０２と下から芯合わせされる。
【００３９】
改良された配光板の鋸歯型光回折格子１８０３の一つの凸レンズ表面１８０６に、光ビーム１８０５が入り一回目の屈折が成されると、光ビーム１８０５は平坦な底部表面１８０２まで透過して二回目の屈折が成され、ランプセットの左側下方に進み照明されるべき領域に入る。鋸歯型光回折格子１８０３の一つの凸レンズ表面１８０８に、光ビーム１８０７が入り、一回目の屈折が成されると、光ビーム１８０７は平坦な底部表面１８０２まで透過して二回目の屈折が成され、ランプセットの左側下方に進み照明されるべき領域に入る。改良された配光板１８０１の鋸歯型光回折格子１８０３の一つの傾斜平面レンズ表面１８１０に、光ビーム１８０９が入り、一回目の屈折が成されると、光ビーム１８０９は平坦な底部表面１８０２まで透過して二回目の屈折が成され、ランプセットの右側下方に進み同じく照明されるべき領域に入る。凸レンズ光回折格子１８０４の一つの凸レンズ表面１８１１に、光ビーム１８１２が入り、一回目の屈折が成されると、光ビーム１８１２は平坦な底部表面１８０２まで透過して二回目の屈折が成され、ランプセット下の中央に下方に進み照明されるべき領域に入る。改良された配光板１８０１は、ランプセット内の殆どの光ビームの照明を照明されるべき所定の領域上に確実に制御可能であり、かつ輝度を均等に配分することによって省エネルギーの効果が得られ、かつ照明すべき範囲で柔らかい光ビームが得られる。
【実施例１２】
【００４０】
本発明の改良された配光板およびその光回折格子の第二実施形態がランプセットに使用されているところを示した図１７を参照して、改良された配光板１９０１は、ランプセットの主本体１０５下の照射されるべき領域に移動可能に設置され、配光板１９０１の平坦な底部表面は、その上に複数の凸レンズ１９０４と部分的になにがしかの平面１９０２、１９１３が形成され、かつ照明されるべき領域を向いた光出力表面である；もう一つの（上部）表面は、その中央領域に複数の凸レンズ光回折格子１９１７が形成され、それらの横方向２つの側には光受け取り表面として光源１０２を向いた複数の鋸歯型光回折格子１９０３が形成される；透明板１９０１の中心は光源１０２直下の箇所と芯合わせされる。
【００４１】
改良された配光板１９０１の鋸歯型光回折格子１９０３の一つの凸レンズ表面１９０６に、光ビーム１９０５が入り一回目の屈折が成されると、光ビーム１９０５は改良された配光板１９０１下の凸レンズ１９０７まで透過し二回目の屈折が成され、ランプセットの左下方に進み照射すべき領域に入る。改良された配光板１９０１の鋸歯型光回折格子１９０３の一つの凸レンズ表面１９０９に、光ビーム１９０８が入り一回目の屈折が成されると、光ビーム１９０８は改良された配光板１９０１下の凸レンズ１９１０まで透過し二回目の屈折が成され、ランプセットの左下方に進み照射すべき領域に入る。改良された配光板１９０１の鋸歯型光回折格子１９０３の一つの傾斜平面レンズ表面１９１２に、光ビーム１９１１が入り一回目の屈折が成されると、光ビーム１９１１は平坦な底部表面１９１３まで透過し二回目の屈折が成され、ランプセットの右下方に進み、同じく照射すべき領域に入る。改良された配光板１９０１の凸レンズ光回折格子１９１７の一つの凸レンズ表面１９１５に、光ビーム１９１４が入り一回目の屈折が成されると、光ビーム１９１４は改良された配光板１９０１下の凸レンズ１９１６まで透過し二回目の屈折が成され、ランプセットの右下方に進み照射すべき領域に入る。配光板１９０１は、ランプセット内の殆どの光ビームの照明を照明されるべき所定の領域上に確実に制御可能であり、かつ輝度を均等に配分することによって省エネルギーの効果が得られ、かつ照明すべき範囲で柔らかい光ビームが得られる。
【００４２】
平坦な底部表面２００２、およびその上に複数の細帯状鋸歯型光回折格子２００３を形成する上部表面を有する配光板２００１の中央領域の拡大概略図を示す図１８を参照する。配光板２００１の細帯状鋸歯型光回折格子２００３が向いている方向性は図３のそれとは正確に反対であり、細帯状鋸歯型光回折格子２００３は配光板２００１の中心線２０１４の横方向２つの側に、一方の側が他方の側に対して鏡像を構成するように配列され、ここにおいて傾斜平面表面は中心線に向いて配列され、凸レンズ表面は配光板２００１の横方向２つの側のそれぞれを向いて配列される。
【００４３】
光ビーム２００６が細帯状鋸歯型光回折格子２００３の一つの凸レンズ表面２０１３に入り一回目の屈折が成されると、光ビーム２００６は平坦な底部表面２００２まで透過し二回目の屈折が成され、照射されるべき領域に入る；光ビーム２００７が細帯状鋸歯型光回折格子２００３の一つの凸レンズ表面２０１２に入り一回目の屈折が成されると、光ビーム２００７は平坦な底部表面２００２まで透過し二回目の屈折が成され、照射されるべき領域に入る。
【００４４】
光ビーム２００６および２００７から、当該光ビームは対応する凸レンズ表面に入り、二回の屈折の後に配光板２００１の中央部下方にすべて照射され、光ビーム屈折角は凸レンズ表面のアーチ型外辺の半径および傾き角によって決定され、アーチ型外辺の傾き角が大きくなると配光板２００１下の平面から出て照射する光ビームの屈折角は大きくなり、すなわち横方向側に向って照射する光ビームの幅の範囲はより大きくなる、ということが理解される。反対にアーチ型外辺の傾き角が小さくなると配光板２００１下の平面から出て照射する光ビームの屈折角は小さくなり、すなわち横方向側に向って照射する光ビームの幅の範囲はより小さくなる。従って、凸レンズ表面のアーチ型外辺の半径および傾き角が設定されさえすれば、光ビームは照明すべき所定の領域上を照射すべく制御可能であり、かつ照射すべき範囲での光ビームの均等配分が得られる。
【００４５】
鋸歯型光回折格子２００３の一つの傾斜平面レンズ表面２０１０に、光ビーム２００８が入り一回目の屈折が成されると、光ビーム２００８は平坦な底部表面２００２まで透過し二回目の屈折がなされ、照射すべき領域に入る。鋸歯型光回折格子２００３の一つの傾斜平面レンズ表面２０１１に、光ビーム２００９が入り一回目の屈折が成されると、光ビーム２００９は平坦な底部表面２００２まで透過し二回目の屈折がなされ、照射すべき領域に入る。
【００４６】
光ビーム２００８および２００９から、当該光ビームは対応する傾斜平面レンズ表面に入り、二回の屈折の後に配光板２００１の横方向２つの側下方にすべて照射され、光ビーム屈折角は傾斜平面レンズ表面２０１０、２０１１と水平線との間のそれぞれ交叉角によって決定され、傾斜平面レンズ表面２０１０、２０１１と水平線との間の交叉角が大きくなると配光板２００１下の平面から出て照射する光ビームの屈折角は大きくなり、すなわち横方向側に向って照射する光ビームの幅の範囲はより大きくなる、ということが理解される。反対に傾斜平面レンズ表面２０１０、２０１１と水平線との間のそれぞれ交叉角が小さくなると配光板２００１下の平面から出て照射する光ビームの屈折角は小さくなり、すなわち横方向側に向って照射する光ビームの幅の範囲はより小さくなる。従って、傾斜平面レンズ表面２０１０、２０１１と水平線との間のそれぞれ交叉角が設定されさえすれば、光ビームは照明すべき所定の領域上を照射すべく制御可能であり、かつ照射すべき範囲での光ビームの均等配分が得られる。
【実施例１３】
【００４７】
本発明の第五実施形態を示す図１９および図１９Ａを参照して、図において、透明板２１０１は平坦な底部表面２１０２、そのもう一つの（上部）表面はその上およびその中央領域に、複数の同芯でない円環状鋸歯型光回折格子２１１２および複数の円環状鋸歯型光回折格子２１０３、２１０４、２１０５、２１０６、２１０７、２１０８、２１０９、２１１０および２１１１を有する。透明板２１０１上に円環状鋸歯型光回折格子２１０３から２１１１のように配列された構造は、図３に示された鋸歯型光回折格子３０３から配列された構造と同じであり、設計原理およびアーチ型凸レンズのおのおのの曲率および傾き角度による異なった照明を生成する効果は、図１１に対して説明されたものと同じである。
【実施例１４】
【００４８】
本発明の第六実施形態を示す図２０および図２０Ａを参照して、図において、透明板２２０１は平坦な底部表面２２０２、そのもう一つの（上部）表面はその上およびその中央領域に、複数の同芯でない円環状鋸歯型光回折格子２２１２および複数の円環状鋸歯型光回折格子２２０３、２２０４、２２０５、２２０６、２２０７、２２０８、２２０９、２２１０および２２１１を有する。透明板２２０１上に円環状鋸歯型光回折格子２２０３から２２１１のように配列された構造は、図１８に示された鋸歯型光回折格子２００３から配列された構造と同じであり、設計原理およびアーチ型凸レンズのおのおのの曲率および傾き角度による異なった照明を生成する効果は、図１１に対して説明されたものと同じである。
【００４９】
結論として、光回折格子上の特定の設計によって、ランプセットに使用される本発明の配光板はその期待される効果を得ることが出来る。本発明がこのように説明されたが、新たに要求し、米国開封特許状によって保証されるべく要望する内容は請求項の通りである。
【図面の簡単な説明】
【００５０】
【図１】Ａ:従来の半覆い型照明ランプの概略断面図である；Ｂ:従来の全覆い型照明ランプの概略断面図である。
【図２】本発明の配光板およびその光回折格子の第一実施形態の上面図である；Ａは図２の正面図である；Ｂは図２の側面図である。
【図３】図２に示された本発明の第一実施形態の中央部の拡大概略図であって、光ビームの進路を示している；
【図４】本発明の配光板およびその光回折格子の第二実施形態の上面図である；Ａは図４の正面図である；Ｂは図４の側面図である；
【図５】図４に示された本発明の配光板およびその光回折格子の第二実施形態の中央部の拡大概略図であって、光ビームの進路を示している；
【図６】本発明の配光板およびその光回折格子の第三実施形態の上面図である；Ａは図６の正面図である；Ｂは図６の側面図である；
【図７】本発明の配光板およびその光回折格子の第四実施形態の上面図である；は図７の正面図である；Ｂは図７の側面図である；
【図８】図２に示された本発明の配光板およびその光回折格子の第一実施形態のランプセットに使用されている概略図を示し、また光ビームの進行を示している；
【図９】図４に示された本発明の配光板およびその光回折格子の第二実施形態のランプセットに使用されている概略図を示し、また光ビームの進行を示している；
【図１０】本発明の改良された配光板およびその光回折格子の第一実施形態の上面図である；Ａは図１０の正面図である；Ｂは図１０の側面図である；
【図１１】図１０に示された本発明の改良された配光板およびその光回折格子の第一実施形態の中央領域拡大概略図を示し、また光ビームの進行を示している；
【図１２】本発明の改良された配光板およびその光回折格子の第二実施形態の上面図である；Ａは図１２の正面図である；Ｂは図１２の側面図である；
【図１３】図１２に示された本発明の改良された配光板およびその光回折格子の第二実施形態の中央領域拡大概略図を示し、また光ビームの進行を示している；
【図１４】本発明の改良された配光板およびその光回折格子の第三実施形態の上面図である；Ａは図１４の正面図である；Ｂは図１４の側面図である；
【図１５】本発明の改良された配光板およびその光回折格子の第四実施形態の上面図である；Ａは図１５の正面図である；Ｂは図１５の側面図である；
【図１６】図１０に示された本発明の改良された配光板およびその光回折格子の第一実施形態のランプセットに使用されている概略図を示し、また光ビームの進行を示している；
【図１７】図１２に示された本発明の改良された配光板およびその光回折格子の第二実施形態のランプセットに使用されている概略図を示し、また光ビームの進行を示している；
【図１８】本発明の配光板のもう一つの実施形態の中央領域拡大概略図を示し、また光ビームの進行を示しており、その鋸歯型光回折格子の向きは図３の鋸歯型光回折格子とは異なっている；
【図１９】本発明の配光板の第五実施形態の上面図および正面図をそれぞれ示している；
【図２０】本発明の配光板の第六実施形態の上面図および正面図をそれぞれ示している。
【符号の説明】
【００５１】
１０１    覆いカバー
１０２    光源
１０３    反射表面
１０４    透明フード
１０５    ランプセットの主本体
２０１    矩形透明板
２０２    平坦な表面
２０３    細帯状鋸歯型光回折格子
２０４    中心線
Ｓ１      凸レンズ表面
Ｓ２      傾斜平面レンズ表面
３０１    配光板
３０３，３１１    細帯状鋸歯型光回折格子
３０２    平坦な表面
３０７〜３０９  光ビーム
３１０，３１１    凸レンズ表面
３１２，３１３    傾斜平面レンズ表面
４０２    細帯状凸レンズ光回折格子
４０３    細帯状鋸歯型光回折格子
５０１    配光板
５１３、５１６    複数の細帯状凸レンズ光回折格子
５０２    細帯状鋸歯型光回折格子
５０５，５０８，５１１，５１４    光ビーム
５０６，５０９    凸レンズ表面
５１２，５１５    傾斜平面表面
５０７，５１０    平面表面
６０１    円形透明板
６０２    平坦な底部表面
６０３    円環状鋸歯型光回折格子
６０４    円形中心
７０１    円形透明板
７０３    円環状鋸歯型光回折格子
７０４    円形中心
７０２    円環凸レンズ光回折格子
８０１    配光板、透明板
８０２    底部表面
８０３    鋸歯型光回折格子
８０５    光ビーム
８０６    凸レンズ表面
８０７    光ビーム
８０８    凸レンズ表面
８０９    光ビーム
８１０    傾斜平面レンズ表面
９０１    配光板
９０２    凸レンズ光回折格子
９０３    鋸歯型光回折格子
１２０１    矩形透明板
１２０２    平坦な表面
１２０３    細帯状鋸歯型光回折格子
１２０４    中心線
１３０１    配光板
１３０２    平坦な底部表面
１３０３    細帯状鋸歯型光回折格子
１３０４    細帯状凸レンズ光回折格子
１３１４    光ビーム
１３０５    凸レンズ
１３０６    光ビーム
１３０７    光ビーム
１３０８    光ビーム
１３０９    光ビーム
１３１０    凸レンズ
１３１１    凸レンズ
１３１０、１３１１    凸レンズ表面
１３１２    傾斜平面レンズ表面
１３１３    傾斜平面レンズ表面
１３１４    光ビーム
１４０１    矩形透明板
１４０２    細帯状凸レンズ光回折格子
１４０３    細帯状鋸歯型光回折格子
１４０４    中心線
１４０５    細帯状凸レンズ光回折格子
１４０６    平坦な表面
１５０１    配光板
１５０１    配光板
１５０２    細帯状鋸歯型光回折格子
１５０３    細帯状凸レンズ光回折格子
１５０５、１５０８、１５１１、１５１４および１５１７    光ビーム
１５０６、１５０９    凸レンズ表面
１５０７、１５１０    平坦な表面
１５１２、１５１５    傾斜平面レンズ表面
１５１３、１５１６、１５１９    細帯状凸レンズ光回折格子
１５１７    光ビーム
１５１８    細帯状凸レンズ光回折格子
１５１９    細帯状凸レンズ光回折格子
１６０１    円形透明板
１６０２    平坦な底部表面
１６０３    円環状鋸歯型光回折格子
１６０４    円中心
１６０５    円環状凸レンズ光回折格子
１７０１    円形透明板
１７０２    凸レンズ光回折格子
１７０３    円環状鋸歯型光回折格子
１７０４    円中心
１７０５    円環状凸レンズ光回折格子
１７０６    平面
１８０１    配光板
１８０２    平坦な表面
１８０３    鋸歯型光回折格子
１８０４    凸レンズ光回折格子
１８０５    光ビーム
１８０６    凸レンズ表面
１８０７    光ビーム
１８０８    凸レンズ表面
１８０９    光ビーム
１８１０    傾斜平面レンズ表面
１８１１    凸レンズ表面
１８１２    光ビーム
１９０１    配光板
１９０１    透明板
１９０２、１９１３    平面
１９０３    鋸歯型光回折格子
１９０４    凸レンズ
１９０５    光ビーム
１９０６    凸レンズ表面
１９０７    凸レンズ
１９０８    光ビーム
１９０９    凸レンズ表面
１９１０    凸レンズ
１９１１    光ビーム
１９１２    傾斜平面レンズ表面
１９１３    平坦な底部表面
１９１４    光ビーム
１９１５    凸レンズ表面
１９１６    凸レンズ
１９１７    凸レンズ光回折格子
２００１    配光板
２００２    平坦な底部表面
２００３    細帯状鋸歯型光回折格子
２０１４    中心線
２００６    光ビーム
２００７    光ビーム
２００８    光ビーム
２００９    光ビーム
２０１０    傾斜平面レンズ表面
２０１１    傾斜平面レンズ表面
２０１２    凸レンズ表面
２０１３    凸レンズ表面
２０１４    中心線
２１０１    透明板
２１０２    平坦な底部表面
２１０３、２１０４、２１０５、２１０６、２１０７、２１０８、２１０９、２１１０  および２１１１    円環状鋸歯型光回折格子
２１１２    同芯でない円環状鋸歯型光回折格子
２２０１    透明板
２２０２    平坦な底部表面
２２０３、２２０４、２２０５、２２０６、２２０７、２２０８、２２０９、２２１０および２２１１円環状鋸歯型光回折格子
２２１２    同芯でない円環状鋸歯型光回折格子
【図１】
2009110961.tif 000003
【図２】
2009110961.tif 000004
【図３】
2009110961.tif 000005
【図４】
2009110961.tif 000006
【図５】
2009110961.tif 000007
【図６】
2009110961.tif 000008
【図７】
2009110961.tif 000009
【図８】
2009110961.tif 000010
【図９】
2009110961.tif 000011
【図１０】
2009110961.tif 000012
【図１１】
2009110961.tif 000013
【図１２】
2009110961.tif 000014
【図１３】
2009110961.tif 000015
【図１４】
2009110961.tif 000016
【図１５】
2009110961.tif 000017
【図１６】
2009110961.tif 000018
【図１７】
2009110961.tif 000019
【図１８】
2009110961.tif 000020
【図１９】
2009110961.tif 000021
【図２０】
2009110961.tif 000022
【外国語明細書】
2009110961000001.pdf
2009110961000002.pdf
2009110961000003.pdf
2009110961000004.pdf